(57)【要約】【課題】本発明は温風暖房機において、機器背面の空気取り入れ口のエアフィルター部が、運転時、機器背面にカーテン等接近すると、強制閉塞され、温風機として十分な必要空気量が確保できず、温風吹出し口から吹出す温風温度を高温にし、やけどの恐れを生ずるという課題があった。【解決手段】エアフィルター部の後方に、ある一定の空間距離を確保し、温風暖房機の機器内に吸引される必要空気量を取り入れる際、風路として圧力損失を生じない十分な開口部を有する吸気保護用のガード部を設けることにより、万一後面にカーテン等が接近しても、保護ガード部に吸引されて、エアフィルター部は閉塞状態にならず、保護ガード部の周囲の開口部から、十分余裕ある空気が補給され、従来通りの暖房が可能となり、安全に使用できるという効果がある。【選択図】　図２
2004144359.tif 000002
【特許請求の範囲】
【請求項１】
機器背面上部に空気取り入れ口を有し、当該空気取り入れ口にエアフィルター部を設け、機器内の熱交換器で生じた温風を機器前面下部の温風吹出し口より吹出す温風暖房機において、エアフィルター部よりある一定の空間距離を確保し、かつエアフィルター部を介し、空気取り入れ口より機器内の熱交換器に吸引される必要空気量を取り入れる際に、圧損を生じない十分な開口部を有するエアフィルター部の吸気保護ガード付き温風暖房機。
【請求項２】
保護ガード部を着脱自在とした請求項１記載の吸気保護ガード付き温風暖房機。
【請求項３】
保護ガード部を金属線材で構成、機器本体天面よりかぶせる様構成した、請求項１または２記載の吸気保護ガード付き温風暖房機。
【請求項４】
保護ガード部を取付けた時、その下部の位置が機器ベースの高さから始まり、その上部は機器面の高さまでガードする構成とし、その保護ガード部を機器の前面側に取付けると、機器前面下部に位置する温風吹出し口の保護ガードとしても使用できる、請求項１ないし３いずれか１項記載の吸気保護ガード付き温風暖房機。
【請求項５】
金属線材で構成した保護ガード部の表面を植毛処理した請求項３または４記載の吸気保護ガード付き温風暖房機。
【発明の詳細な説明】
【０００１】
【発明の属する技術分野】
本発明は、温風暖房機に関するものである。
【０００２】
【従来の技術】
従来の温風暖房機を図７に示す。機器背面上部に空気取り入れ口１を設け、当該空気取り入れ口１にはエアフィルター部２が取り付けられている。
【０００３】
機器本体内部のファン３によりエアフィルター部２から吸引された室内空気は熱交換器４によって温められ、機器前面下部の温風吹出し口５より吹出される様に構成されている。
【０００４】
【発明が解決しようとする課題】
しかしながら上記従来の温風暖房機では、機器設置条件によっては、機器背面にカーテン等が接近、暖房運転時、空気取り入れ口１に設けられたエアフィルター部２にカーテンが吸引され、それが大きな圧力損失となり、暖房に必要な十分な空気量を吸引確保できなくなり、十分な暖房を得られないばかりでなく、温風吹出し口５から吹出す温風温度を高温にし、やけとの恐れを生じるという課題があった。
【０００５】
【課題を解決するための手段】
本発明は上記課題を解決するため機器本体背面の空気取り入れ口１に設けられたエアフィルター部２が、設置条件に左右されることなく、カーテン等で閉塞されないで、暖房に必要な空気量が十分確保できるよう、エアフィルター部２の前方に、ある一定の空間距離を確保した保護ガード部７を設け、万一、機器後方にカーテン等が接近しても、この保護ガード部７にガードされ、エフフィルター部２が直接閉塞されないよう構成したものである。
【０００６】
従って、本発明の吸気保護ガード付き温風暖房機は、機器背面の設置条件に左右されることなく、安心して暖房運転することができる。
【０００７】
【発明の実施の形態】
本発明の請求項１にかかる吸気保護ガード付き温風暖房機は機器背面上部に設けられた空気取り入れ口に設けられたエアフィルター部の前方に、ある一定の空間距離を確保して、保護ガード部を構成する。
【０００８】
そして、その保護ガード部の左右及び上下の側面及びエアフィルター部と合い対面する面には、暖房運転時必要な空気量が十分確保できるよう、圧力損失の生じないだけの十分な開口部がそれぞれに設けられており、万一この保護ガード部の一部である、エアフィルター部と合い対面する面の開口部がカーテン等で閉塞されても、保護ガード部の側面及び上下の面の開口部から、暖房に必要な空気量が十分確保され、エアフィルター部を閉塞することなく機器本体内部に吸引し、温風として温風吹出し口より吹出すことができる。
【０００９】
本発明の請求項２にかかる吸気保護ガード付き温風暖房機は、この保護ガード部が着脱自在に構成されている。従って、機器の設置条件として、機器背面に十分な空間距離を確保できたり、後方にカーテン等が無く、エアフィルター部の閉塞の恐れのない場合は、保護ガード部を固定している複数の固定ネジをゆるめ、簡単に取り外しすることができる。
【００１０】
本発明の請求項３にかかる吸気保護ガード付き温風暖房機は、その保護ガード部が金属線材で構成され、機器本体の奥行き幅を活用、機器上部から、かぶせる様取り付けることにより、エアフィルター部からある一定の距離を確保して、カーテン等の保護ガード部を構成、かつ簡単に着脱自在にすることができる。
【００１１】
本発明の請求項４にかかる吸気保護ガード付き温風暖房機は、保護ガード部の高さ方向の幅が、機器本体のベーズの高さから、機器天面の高さまでカバーできる幅になっているため、当該保護ガード部をエアフィルター部の保護の場合の取付け状態と１８０度廻して、保護ガード部が機器の前面側に位置する様取付けると容易に機器前面下部に位置する温風吹出し口の保護ガードとしても、有効に活用できる様構成したものである。
【００１２】
さらに、本発明の請求項５にかかる吸気保護ガード付き温風暖房機は、その構成部材である金属線材表面を細い樹脂繊維等で植毛（フロッキ）処理加工を施すことにより、金属表面に直接接触した時場合より、その表面の熱伝導を押さえることにより、温風吹出し口の保護ガード部として使用する場合の安全性確保をより高めたものである。
【００１３】
【実施例】
以下、本発明の実施例について図面を用いて説明する。
【００１４】
（実施例１）
温風暖房機本体部分の断面図については、従来例の構成と同一のため省略する。
【００１５】
図１は本発明の一実施例の吸気保護ガード付き温風暖房機の外観構成を示す外観斜視図である。図１において、従来例と同様に機器本体背面上部に位置するエアフイルター部２から、ある一定の空間距離を確保した位置に、当該温風暖房機が暖房運転する際にエアフィルター部２から吸引される必要空気量を十分確保するに足りる、圧損を生じないだけの十分な複数の開口部６ａ、６ｂ、６ｃ、６ｄが保護ガード部７を構成する後面、左右側面、上下側面にそれぞれ設けられている。
【００１６】
次に動作、作用について説明すると、万一この保護ガード部７の一部で、エアフイルター部２と合い対面する後面の複数の開口部６ｃがカーテン等で閉塞されても、保護ガード部７の左右側面の複数の開口部６ｂ、及び上下側面の開口部６ａ、６ｄを介して十分な空気量が確保され、エアフイルター部２を直接閉塞することなく、機器内に吸引される。
【００１７】
（実施例２）
図２は本発明の実施例２の吸気保護ガード付き温風暖房機を示す外観斜視図、図３は本発明の着脱自在の保護ガード部７を取り外した状態を示す外観斜視図である。
【００１８】
本実施例２において、実施例１と異なる点は本発明の保護ガード部７を機器本体背面のエアフィルター部２の近傍で、複数の固定用ネジ８で、機器本体背面の保護ガード取付け用下孔９に固定するものである。なお当該固定用ネジ８のネジ頭は合成樹脂等ででき、その直径は人が工具を使わなくても用意にゆるめたり、締め付けたりできるだけの回転トルクが確保できる大きさを確保されているため、保護ガード部７は固定用ネジ８により容易に着脱可能である。
【００１９】
（実施例３）
図４は本発明の実施例３の吸気保護ガード付き温風暖房機を示す外観斜視図、図５は本発明の着脱自在の金属線材で構成された保護ガード部７の具体的構成例を示す外観斜視図である。本実施例３において、実施例１（または２）と異なる点は保護ガード部７はその構成が、複数の金属線材を自在に折り曲げ、溶接等で構成され、かつ機器本体上部からかぶせる様に取り付けることにより、固定ネジ等を用いず、容易に着脱自在に構成されている点である。
【００２０】
次に動作、作用を説明すると、保護ガード部７は前述の如く複数の金属線材部品の折り曲げ、溶接等で構成され、そのうちの線材１０、線材１１の両端の位置決め用曲げ部１０ａ，１０ｂ及び１１ａ，１１ｂによるコの字型構成幅Ｌ１を、本温風暖房機の機器本体幅Ｌ２より、若干広めに構成することにより、容易に機器本体上部からかぶせる様、着脱自在に取り付けられると同時に、保護ガード部７が、前後に容易に動かないで、確実にエアフィルター部２からある一定の空間距離を確保してカーテン等の吸引を防止するガード部を構成するものである。
【００２１】
（実施例４）
図６は本発明の実施例４の吸気保護ガード部を温風吹出し口５の保護ガードとして活用している状態を示す外観斜視図である。
【００２２】
この場合、図５で示す、保護ガード部の高さ方向の構成幅Ｌ３を機器本体のベース１２からの高さＬ４と等しく構成すると、当該保護ガード部７を１８０度回転させ、線材１０、線材１１の両端の各位置決め用曲げ部１０ａ、１０ｂ及び１１ａ、１１ｂの挿入位置を実施例３で示す図４の場合と機器前後で逆転させ、図６で示す様に保護ガード部が機器前面に位置する様使用すると、従来例の図７で示す温風吹出し口５の前方に保護ガード部７が位置し、温風吹出し口５の保護ガードとしても活用できる。
【００２３】
（実施例５）
図６の実施例４の如く、吸気保護ガード付き温風暖房機の着脱自在の保護ガード部７を、エアフィルター部２の吸気閉塞保護ガードの役割として活用するだけでなく、温風吹出し口５での小さな子供の接触によるやけど防止の保護ガードとしても活用する場合、その目的である温風吹出し口５の高温部への接触防止用の効果をさらに高めるため、金属線材の表面を植毛処理することにより、接触時の熱伝導を押さえることにより、より安全性を高める効果が得られる。
【００２４】
以上説明したように本発明の実施例１によれば、温風暖房機の空気取り入れ口部のエアフィルター部に、吸気を阻害するカーテン等が接近しても、保護ガード部により、エアフィルター部が直接閉塞されることなく、暖房に必要な十分な空気量の吸引を確保でき、従来カーテン等の吸引による、不十分な空気量での暖房、及び温風温度の高温化によるやけどの危険を防止できるという効果がある。
【００２５】
また、本発明の実施例２によれば、エアフィルター部のカーテン等の閉塞の恐れが無い場合は、当該保護ガード部を容易に取り外すことができる様構成されているため、従来の温風暖房機と同様、機器後面がスッキリしたデザインとして使用、設置条件によっては保護ガードを着脱自在にすることにより、常に安全に使用できるという効果がある。
【００２６】
また、本発明の実施例３によれば、当該保護ガード部を複数の金属線材の折り曲げ、溶接等で構成することにより、暖房用の空気の吸引時の空気抵抗をほとんど無くすと同時に、軽量かつ、より簡単に脱着できるという効果がある。
【００２７】
さらに、本発明の実施例４または５によれば、当該保護ガード部をエアフィルター部の吸気閉塞防止として活用するばかりでなく、温風吹出し口の接触防止用の保護ガードとしても利用できる様、その利用価値をより一層高めたという効果がある。
【００２８】
【発明の効果】
以上本発明によれば、十分余裕ある空気が補給され、従来通りの暖房が可能となり、安全に使用できるという効果がある。
【図面の簡単な説明】
【図１】本発明の実施例１における吸気保護ガード付き温風暖房機の外観構成を示す外観斜視図
【図２】本発明の実施例２における吸気保護ガード付き温風暖房機の外観構成を示す外観斜視図
【図３】本発明の実施例２の着脱自在の保護ガード部を取り外した状態を示す外観斜視図
【図４】本発明の実施例３における吸気保護ガード付き温風暖房機の外観構成を示す外観斜視図
【図５】本発明の実施例３の着脱自在の保護ガードの具体的構成の一例を示す外観斜視図
【図６】本発明の実施例４および５の吸気保護ガード部を温風吹出し口の保護ガードとして活用した場合の外観構成を示す外観斜視図
【図７】従来の温風暖房機の構成を示す図
【符号の説明】
１　空気取り入れ口
２　エアフィルター部
３　ファン
４　熱交換器
５　温風吹出し口
６ａ、６ｂ、６ｃ、６ｄ　開口部
７　保護ガード部
８　固定用ネジ
９　保護ガード取付け用下孔
１０　線材
１１　線材
１０ａ　線材１０の端部の位置決め用曲げ部
１０ｂ　線材１０のもう一方の端部の位置決め用曲げ部
１１ａ　線材１１の端部の位置決め用曲げ部
１１ｂ　線材１１のもう一方の端部の位置決め用曲げ部
１２　ベース
【図１】
2004144359.tif 000003
【図２】
2004144359.tif 000004
【図３】
2004144359.tif 000005
【図４】
2004144359.tif 000006
【図５】
2004144359.tif 000007
【図６】
2004144359.tif 000008
【図７】
2004144359.tif 000009